(57)【特許請求の範囲】
【請求項１】
本体内に熱交換器と送風機と電装ボックスとを備え、この電装ボックスの下部に連絡電線を接続する端子台を設けた壁掛け型の空気調和機に於いて、前記電装ボックスの下部にバネ手段を備えた傾斜面を形成し、この傾斜面の左右には側壁を設けると共に傾斜面よりも前方に端子台抑え部を設け、前記傾斜面と端子台抑え部の間に端子台収納部を備え、前記傾斜面と端子台抑え部の間及び端子台収納部の横断面形状は先細り状に形成し、前記端子台の前面中央部をテーパー状に形成し、前記バネ手段の先端に凸部を設け、前記バネ手段に抗して傾斜面と端子台抑え部の間に端子台を挿入し、前記端子台上部を凸部に係止して端子台を端子台収納部に取付る事を特徴とする空気調和機。
【発明の詳細な説明】
【０００１】
【発明の属する技術分野】
この発明は本体内に熱交換器と送風機と電装ボックスを備え、室外機と冷媒配管や連絡電線で接続されるセパレート式の空気調和機の、室内の壁面に据付られる壁掛け型の空気調和機に関する。
【０００２】
【従来の技術】
この種の空気調和機は、その据付の時やメンテナンスの時に電装ボックスの端子台に室外機等の外部から引いた連絡電線を接続している。
従来の端子台は電装ボックスやこの電装ボックス近傍にネジによってしかりと固定されていた。
また家電製品の価格競争やコンパクト化の影響で、更なる原価低減やコンパクト化が必要なものだった。
【０００３】
【発明が解決しようとする課題】
しかしながら、この従来の空気調和機では組立作業時のネジ止め作業に時間がかかり、且つネジ及びネジ止め用のスペースがコンパクト化の妨げになるものだった。
【０００４】
【問題点を解決するための手段】
この発明はこの点に着目し上記欠点を解決する為、特にその構成を、本体内に熱交換器と送風機と電装ボックスとを備え、この電装ボックスの下部に連絡電線を接続する端子台を設けた壁掛け型の空気調和機に於いて、前記電装ボックスの下部にバネ手段を備えた傾斜面を形成し、この傾斜面の左右には側壁を設けると共に傾斜面よりも前方に端子台抑え部を設け、前記傾斜面と端子台抑え部の間に端子台収納部を備え、前記傾斜面と端子台抑え部の間及び端子台収納部の横断面形状は先細り状に形成し、前記端子台の前面中央部をテーパー状に形成し、前記バネ手段の先端に凸部を設け、前記バネ手段に抗して傾斜面と端子台抑え部の間に端子台を挿入し、前記端子台上部を凸部に係止して端子台を端子台収納部に取付るようにしたものである。
【０００５】
【発明の実施の形態】
以下この発明の一実施例を図面をもとに説明すれば、１は室内の壁等に取付られる空気調和機の室内機本体で、冷暖房が可能な家庭用エアコンであって、室外機２と冷媒配管３及び連絡電線４で接続されている。
【０００６】
前記本体１は前面の前板５と背面の後板６から成り、内部には室内熱交換器７と室内送風機８と電装ボックス９等を設けている。前記前板５の前面は吸込口１０を備え着脱自在のオープンパネル１１が取付けられ、このオープンパネル１１の下方には横長の吹出口１２を備え、前記吸込口１０より吸い込まれた室内の空気は室内熱交換器７によって熱交換されたのち吹出口１２より室内に吐出される。
【０００７】
前記前板５、後板６、電装ボックス９は樹脂成形品でＡＢＳ樹脂やポリスチレン樹脂等から作られている。また室内熱交換器７はフィンチューブ式の熱交換器で、前記室内送風機８のクロスフローファン１３とファンモータ１４によって送風される事で熱交換されるものである。
【０００８】
前記室外機２内には圧縮機１５と四方弁１６と室外熱交換器１７と膨張弁１８を備えている。前記四方弁１６は冷凍回路を切換る事によって冷房運転と暖房運転を切換る弁装置。前記室外熱交換器１５もフィンチューブ式の熱交換器で、室外送風機１９のプロペラファン２０とファンモータ２１によって送風される事で熱交換されるものである。
【０００９】
前記電装ボックス９は上部にプリント基板等の電気部品を収納する部品収納部２２を備え、この部品収納部２２の下方に端子台２３を固定する端子台収納部２４を備えている。
【００１０】
前記端子台２３は部品収納部２２から引き出されたリード線２５と前記連絡電線４を接続するためのもので、前記リード線２５は端部をメスの端子２６が取り付けられ、端子台２３の上部には前記端子２６に対応する突起２７が斜め上方に向けて設けられている。
【００１１】
また端子台２３の下部には約直径２ｍｍの単線が３本収納される前記連絡電線４の先端２８を約１５ｍｍ被覆を取除いて挿入する事で固定する電線固定部２９を備え、また前記電線固定部２９の前面には連絡電線４取外し時に押圧する解除ボタン３０を備えている。そして端子台２３の前面中央部３１はテーパー状とする事で横断面先細り状に形成されている。
【００１２】
前記端子台収納部２４は部品収納部２２側から斜め下方に傾斜面３２を形成し、この傾斜面３２にはバネ手段３３を設けている。このバネ手段３３は樹脂材料の弾性を利用したもので上方を支点とする舌片状で先端には端子台２３の上面を固定する凸部３４を備えている。
【００１３】
前記傾斜面３１の左右には端子台２３の横寸法より稍広い距離を隔てて前方に向け側壁３５を設け、この側壁３５から傾斜面３２の前方下部に端子台抑え部３６を設けている。この端子台抑え部３６も端子台２３の前記前面中央部３１に対向してテーパー状に形成されている。
【００１４】
前記端子台２３の電装ボックス９への組み付けについて説明すれば、端子台２３は図３の一点鎖線で示すように電装ボックス９の端子台収納部２４の傾斜面３１と端子台抑え部３６の間にバネ手段３３の凸部３４を乗り越えて挿入すれば、凸部３４が端子台２３上面を固定する。またこの時テーパー状の前面中央部３１によって先細り状に形成された傾斜面３２と端子台抑え部３６の間に密着して端子台２３はこれ以上下方には下がらないものである。
【００１５】
そして図４で示すように端子台２３が組み込まれた電装ボックス９をネジ等により後板６に取付ければ、更に後板６に設けられた段部３６に端子台２３の底面が突き当たり端子台２３の下方への動きを規制するものである。
【００１６】
これと共にバネ手段３３の凸部３４裏面に後板６の傾斜面３７が密着することで、凸部３４は後方への動きが規制され端子台２３が端子台収納部２４から抜けて外れる事を防止するものである。
【００１７】
このように端子台２３の電装ボックス９への組付けは極めて簡単にワンタッチで行うことができ、ネジ止め等のスペースも必要ないものであり、電装ボックス９の後板６への組み付けにより更に端子台２３は固定されるので、端子台２３がガタガタして連絡電線４接続作業の妨げになるような事はないものである。
【００１８】
【発明の効果】
以上のようにこの発明によれば、端子台の電装ボックスへの組付けは極めて簡単にワンタッチで行うことができ、ネジ止め等のスペースも必要ないものである。
【図面の簡単な説明】
【図１】この発明一実施例の斜視図。
【図２】同冷凍回路の略図。
【図３】同要部の拡大斜視図。
【図４】同要部の拡大断面図。
【符号の説明】
１  本体
９  電装ボックス
２３  端子台
３２  傾斜面
３３  バネ手段
３６  端子台抑え部
【図１】
0003908441.tif 000002
【図２】
0003908441.tif 000003
【図３】
0003908441.tif 000004
【図４】
0003908441.tif 000005